(57)【要約】【課題】【解決手段】本発明は、活性成分の容器３が配置される細長いハウジングを備える注射装置に関する。上記ハウジングは、互いに対して変位することのできる２つのハウジング部分１、２を備えている。駆動要素１２は、注射方向に向けてばね１０７の力によりプレストレスを加えることができ、また、上記位置に固定することができる。解放要素２０は患者の皮膚に配置されたとき、ハウジング部分１、２が互いに対して変位することにより、係止位置から中間位置まで変位し、駆動要素１２は依然として中間位置に係止されている。駆動要素１２は、その中間位置から解放位置まで変位させることができ、この解放位置において、駆動要素はボタンにより作動させることのできる解放要素１８により係止解除される。上記２ステップの過程は偶発的な解放を確実に防止する。
2007514487.tif 000002
【特許請求の範囲】
【請求項１】
活性物質の容器（１２）が内部に配設される細長いハウジング（１）を備える自動式注射器であって、該ハウジング（１）は、互いに対して動くことのできる少なくとも２つのハウジング部分（２、３）を備え、少なくとも１つのばね（７）の力により注射方向に向けて前方に偏倚させることのできる駆動要素（４）と、駆動要素（４）が前方偏倚位置にて係止される係止位置から駆動要素（４）が非係止状態とされる解放位置まで動くことができるようにする解放要素（６）と、トリガー要素（５）とを備える前記自動式注射器において、
ハウジング部分（２、３）がその係止位置から駆動要素（４）が係止される中間位置まで相対的に動くことにより、解放要素（６）を動かすことができ、また、トリガー要素（５）は解放要素（６）を中間位置から解放位置まで動かすことができることを特徴とする、自動式注射器。
【請求項２】
請求項１に記載の自動式注射器において、トリガー要素（５）は、自動式注射器の長手方向に対し横断するように配設された面内にて動くことができ、また、解放要素（６）は、自動式注射器の長手方向に動くことができることを特徴とする、自動式注射器。
【請求項３】
請求項１又は２の何れかに記載の自動式注射器において、トリガー要素（５）は、中間位置から解放位置まで動く間、解放要素（６）を案内する案内機構を備えることを特徴とする、自動式注射器。
【請求項４】
請求項１ないし３の何れか１つの項に記載の自動式注射器において、解放要素（６）は、係止機構と協働して駆動要素（４）を偏倚位置に係止することを特徴とする、自動式注射器。
【請求項５】
請求項１ないし４の何れか１つの項に記載の自動式注射器において、係止機構（５１）は、係止解除の目的のため、自動式注射器の長手方向に対し横断状に配設された面内を動くことができることを特徴とする、自動式注射器。
【請求項６】
請求項１に記載の自動式注射器において、トリガー要素（５）は、自動式注射器の長手方向に動くことができ、また、解放要素（６）は、自動式注射器の長手方向に対し横断状に配設された面内を動くことができることを特徴とする、自動式注射器。
【請求項７】
請求項１ないし６の何れか１つの項に記載の自動式注射器において、解放要素（６）は、その係止位置にあるとき、トリガー要素（５）が動くのを防止することを特徴とする、自動式注射器。
【請求項８】
請求項１ないし７の何れか１つの項に記載の自動式注射器において、解放要素（６）は、鍵穴形状のオリフィス（２１）を有し、また、環状溝（１５）が駆動要素に設けられ、解放要素（６）が係止位置にあるとき、該鍵穴形状のオリフィスの細長い部分が前記環状溝内に係合することを特徴とする、自動式注射器。
【請求項９】
請求項１に記載の自動式注射器において、解放要素（６）は、該解放要素が係止位置から解放位置まで回転動作を行うよう案内されることを特徴とする、自動式注射器。
【請求項１０】
請求項９に記載の自動式注射器において、解放要素（６）は、非円形のオリフィス（２１）を有し、解放要素が解放位置にあるときのみオリフィスに嵌まる非円形断面のヘッド部が駆動要素に設けられることを特徴とする、自動式注射器。
【請求項１１】
トリガー作動可能な注射装置において、
ａ）ハウジング部分（１）と、
ｂ）注射可能な製剤のリザーバ（３）と、
ｃ）末端に針先端を有する注射針（５）と、
ｄ）針防護部（２ａ）であって、針防護部が注射針（５）を針先端を超えて遠方まで取り囲む保護位置から後退位置まで基端方向に向けて遠方にハウジング部分（１）及び注射針（５）に対して変位可能である前記針防護部（２ａ）と、
ｅ）駆動動作を防止し得るよう解放可能な止め係合状態に係止される、注射用の駆動機構（４、１０ないし１３）と、
ｆ）針防護部（２ａ）が基端方向に向けて動くことにより、スイッチング要素（２０）が係止位置から連結位置まで動くよう針防護部（２ａ）と連結されたスイッチング要素（２０）と、
ｇ）スイッチング要素（２０）が連結位置にあるとき、作動されて、スイッチング要素（２０）と連結され且つ、スイッチング要素（２０）が連結位置から解放位置まで動くようにする駆動機構（４、１０ないし１３）を起動する作動可能なトリガー要素（１８）とを備え、
ｈ）駆動機構（４、１０ないし１３）の止め係合状態は、スイッチング要素（２０）が解放位置となる迄、解放されないことを特徴とする、トリガー作動可能な注射装置。
【請求項１２】
請求項１１に記載の注射装置において、スイッチング要素（２０）が係止位置から出て解放位置に入る動きは、同一方向に向けて生じることを特徴とする、注射装置。
【請求項１３】
請求項１ないし１２の何れか１つの項に記載の注射装置において、スイッチング要素（２０）は、係止位置から出て基端方向に向けて解放位置に動くことを特徴とする、注射装置。
【請求項１４】
請求項１ないし１３の何れか１つの項に記載の注射装置において、スイッチング要素（２０）は、係止位置から解放位置に基端方向に向けて直線状に案内されることを特徴とする、注射装置。
【請求項１５】
請求項１ないし１４の何れか１つの項に記載の注射装置において、トリガー要素（１８）は、スイッチング要素（２０）が解放位置まで動く方向に対し横断状に変位可能であるように取り付けられることを特徴とする、注射装置。
【請求項１６】
請求項１ないし１５の何れか１つの項に記載の注射装置において、トリガー要素（１８）は、スイッチング要素（２０）の上で摺動することにより、スイッチング要素（２０）を連結位置から解放位置まで動かすことを特徴とする、注射装置。
【請求項１７】
請求項１ないし１６の何れか１つの項に記載の注射装置において、トリガー要素（１８）及びスイッチング要素（２０）の少なくとも一方には、スイッチングカム（１９）が設けられ、該スイッチングカムにより、要素は他方の要素上を連結係合状態にて摺動し、スイッチングカム（１９）は、スイッチング要素（２０）が連結位置から出て解放位置まで動く方向に対し及びトリガー要素（１８）が作動されたとき、連結駆動状態に向けて動く方向に対しある角度を為して傾斜していることを特徴とする、注射装置。
【請求項１８】
請求項１ないし１７の何れか１つの項に記載の注射装置において、駆動機構（４、１０ないし１３）及びハウジング部分（１）は、少なくとも１つの妨害要素（１５；２５）により止め係合状態にあり、スイッチング要素（２０）は、妨害要素（１５；２５）を弾性力に抗して止め係合状態に保持することを特徴とする、注射装置。
【請求項１９】
請求項１８に記載の注射装置において、スイッチング要素（２０）は、妨害要素（１５；２５）を弾性力に抗して押して止め係合状態にすることを特徴とする、注射装置。
【請求項２０】
請求項１８又は１９の何れかの項に記載の注射装置において、スイッチング要素（２０）が解放位置にあるとき、妨害要素（１５；２５）が止め係合状態外に動き、好ましくは、自動的に止め係合状態からスナップ外れし得るような少なくとも程度にてスイッチング要素（２０）により妨害要素（１５；２５）から圧力が除去されることを特徴とする、注射装置。
【請求項２１】
請求項１８ないし２０の何れか１つの項に記載の注射装置において、スイッチング要素（２０）は、少なくとも１つの凹所（２４）を有し、スイッチング要素（２０）が解放位置にあるとき、妨害要素（１５；２５）が該凹所内にスナップ嵌めして、これにより止め係合状態を解放することを特徴とする、注射装置。
【請求項２２】
請求項１８ないし２１の何れか１つの項に記載の注射装置において、妨害要素（１５；２５）は、注射針（５）の長手方向に対し横断状に止め係合状態外に動くことを特徴とする、注射装置。
【請求項２３】
請求項１８ないし２２の何れか１つの項に記載の注射装置において、スイッチング要素（２０）は、スリーブ部分を有し且つスリーブ部分の内面により妨害要素（１５；２５）を押して止め係合状態にし、凹所（２４）が内面に設けられ、妨害要素（１５；２５）が該凹所内に止め係合状態を脱してスナップ嵌めすることを特徴とする、注射装置。
【請求項２４】
請求項１ないし２３の何れか１つの項に記載の注射装置において、針防護部（２ａ）は、針防護部が後退位置に動くとき、スイッチング要素（２０）を係止位置から連結位置まで該針防護部と共に駆動することを特徴とする、注射装置。
【請求項２５】
請求項２４に記載の注射装置において、針防護部（２ａ）は、圧力接触により該針防護部と共にスイッチング要素（２０）を駆動することを特徴とする、注射装置。
【請求項２６】
請求項１ないし２５の何れか１つの項に記載の注射装置において、スイッチング要素（２０）は、針防護部が連結位置から解放位置まで動くとき、針防護部（２ａ）から解放されることを特徴とする、注射装置。
【請求項２７】
請求項１ないし２６の何れか１つの項に記載の注射装置において、駆動機構（１０ないし１３）は、注射駆動装置（１３）と、ハウジング部分（１）に対して前方駆動方向（Ｖ）に向けて末端方向に変位可能であるように取り付けられた前方駆動構造体（１２）とを備え、該前方駆動構造体（１２）は、注射駆動装置（１３）の駆動力に抗して止め係合状態に係止され、止め係合状態が解放されたとき、注射駆動装置（１３）、前方駆動構造体（１２）は、注射針（５）を針防護部（２ａ）に対して前方駆動方向（Ｖ）に向けて駆動することを特徴とする、注射装置。
【請求項２８】
請求項２７に記載の注射装置において、駆動機構（１０ないし１３）は、リザーバ（１３）内の製剤に作用する駆動要素（４）と、分与構造体（１１）と、分与構造体（１１）を介して駆動要素（４）を駆動する分与駆動装置（１０）とを有し、前方駆動構造体（１２）は分与構造体（１１）を受容し且つ該分与構造体を前方駆動方向（Ｖ）に向けて案内し、分与駆動装置（１０）は注射駆動装置又は別の駆動装置により形成されることを特徴とする、注射装置。
【発明の詳細な説明】
【技術分野】
【０００１】
本発明は、注射可能な製剤、好ましくは、インシュリン、成長ホルモン、へパリン又は骨粗鬆症処方剤のような液体薬剤を投与する注射装置に関する。該注射装置は注射ペン又は自動式注射器であることが好ましい。
【背景技術】
【０００２】
多数の設計の注射装置が既知である。これらの注射装置は、患者が自分自身で投与する薬剤を投与するため特に使用される。既知の自動式注射器の多くは、注射手順が偶発的に起動されるのを防止することを目的とする解放ロックを有している。自動式注射器の一例は、ドイツ国特許明細書４０３７４１８号に記載されている。この自動式注射器は、活性物質の容器を受容するハウジングを有しており、該ハウジングは、軸線に沿って第一の位置及び第二の位置から互いに対して変位可能である２つの部分から成っている。自動式注射器は、解放機構と、ばねによって偏倚される位置に解放機構により保持される活性物質を分与する分与機構と、上記軸線の方向に向けて同様に操作可能であるプッシュボタンの形態をしたトリガー装置とを備えている。この場合、１つのハウジング部分がトリガー装置を受容し、他方のハウジング部分が解放機構を受容する。２つのハウジング部分が互いに対する第一の位置にあるとき、解放機構は第二の位置にあるときよりもトリガー装置から離れた距離に配設され、トリガー装置を作動させても何の作用も生じない。ハウジング部分が第二の位置にあるとき、トリガー装置は解放機構により接近しており、このため、トリガー装置が分与機構を解放させることができる位置にある。
【発明の開示】
【発明が解決しようとする課題】
【０００３】
先行技術の背景に対して、本発明の目的は、少数の構成要素のみを必要とする一方にて、偶発的な起動を阻止する高度の安全性を提供する注射装置を提案することである。
【課題を解決するための手段】
【０００４】
この目的は、請求項１に記載の自動式注射器及び請求項１１に記載のトリガー作動可能な注射装置に基づいて本発明により実現される。
本発明の１つの実施の形態において、注射装置は、ハウジング部分と、注射すべき製剤、すなわち活性成分のリザーバと、注射針と、針防護部と、注射の駆動機構と、駆動機構を起動するトリガー機構とを備えている。ハウジング部分又は該ハウジング部分と接続された注射装置の別のハウジング部分がリザーバを直接構成する。しかし、リザーバは、ハウジング部分又は他のハウジング部分内に受容される容器であることが好ましい。注射装置は、リザーバを保持し且つ中心に配置し、またそれ自体ハウジング内に保持され且つ中心に保持されるリザーバホルダを有することが好ましい。注射針は、特にリザーバに取り付け又は実質的にリザーバホルダに取り付けることもできる。従って、注射針は、好ましくは、リザーバ又はリザーバホルダから軸方向前方に突き出し且つ、その前端すなわち末端に針先端を有する。針防護部は、ハウジング部分と接合され、このため、該針防護部は、注射針が取り囲まれる保護位置からその針先端を超えた点まで後方にハウジング部分に対し、特に注射針に対し、すなわちハウジング部分に対して基端方向に動き、好ましくは、軸方向に動き、また、後退位置まで遠方に注射針まで動くことができる。針防護部は、弾性的な戻り力に抗して基端方向に動かし且つ、戻り力が解放されたとき、末端方向に向けて再度押し戻すことのできる純粋な視覚的防護部とすることができる。しかし、これと代替的に、該針防護部は、戻り動作を防止し得るよう保護位置に係止されるようにしてもよい。この場合、係止動作は、注射前に解放しなければならず、注射後、針防護部は解放可能であり又は解放不能にすることができる。
【０００５】
駆動機構は、コンベア要素又は駆動要素を有する分与駆動装置と、駆動要素に対する分与駆動装置とを備えることができ、駆動要素は、リザーバ内に配設された製剤に作用して製剤を分与する。注射装置が自動式注射器である好ましい実施の形態において、駆動機構は、かかる分与駆動装置のみならず、注射針の注射駆動装置を更に有する。この場合、同一の力発生器を使用して分与駆動装置及び注射駆動装置を駆動することができる。例えば、機械的ばね、好ましくは、特定の圧力にプレストレスを加えたコイルばねは、注射駆動装置及び分与駆動装置として機能する。しかし、例えば、特定の圧力にプレストレスを加えたコイルばねのような別個の力発生器を２つの駆動装置の各々に提供してもよい。好ましくは、注射駆動装置は、注射前の弾性的に緊張させた状態をとる力発生器であるものとする。この弾性的に緊張させた状態から注射駆動装置は、注射針を駆動し、注射針を末端方向すなわち前方駆動方向に向けて皮膚に注射し又は好ましくは皮膚に貫入させる。駆動機構は、分与動作を生じさせる駆動動作又は分与及び予備的注射を生じさせる駆動動作のみを行い又は該駆動機構は、最初に注射するための１回の駆動動作及び分与過程に対する別の駆動動作を行うことができるような設計とすることが可能である。
【０００６】
注射装置が当初の状態にあるとき、駆動機構は、解放可能な止め係合状態に保持されており、このため、駆動機構は何らの駆動動作を行うことはできず、特に、注射針を注射するための駆動動作を行うことができない。注射装置が自動式注射器でなく、ユーザが自分自身で注射しなければならない注射針を有する注射器であるならば、分与駆動装置のみが提供され、このため、止め係合状態はこの分与駆動装置に作用する。
【０００７】
駆動機構を起動させるため、可動のハウジング部分又は針防護部、トリガー部材又はトリガー要素及び解放要素、特に、スイッチング要素は互いに協働する。この実施の形態において、スイッチング要素及び針防護部は互いに連結され、針防護部が保護位置から後退位置まで動くことにより、スイッチング要素は、掛止め位置すなわち係止位置から連結位置すなわち中間位置まで動く。スイッチング要素が連結位置となったならば、トリガー要素を作動させることにより、トリガー要素は動いてスイッチング要素と連結係合することができる。連結係合状態にあるとき、作動に起因するトリガー要素の起動動作は、スイッチング要素の連結位置から解放位置への動きに変換される。スイッチング要素が解放位置とならない限り、スイッチング要素は、駆動機構の止め係合状態が解放されるのを防止する。止め係合状態は、駆動機構とハウジング部分との間に直接存在し、又は１つ又はより多くの中間要素を介して存在し、このことは、駆動機構は止め係合状態のとき、ハウジング部分に対し何らの駆動動作も行い得ないことを意味する。駆動動作は、前方駆動方向、好ましくは、末端方向への駆動機構の軸方向直線状動作であり、又は好ましくは、その直線状動作を含むものとする。注射装置が自動式注射器であるならば、駆動機構は、注射針と連結され、該駆動機構が注射針を駆動方向に、すなわちそれ自体の駆動動作の方向に駆動することが好ましい。
【０００８】
スイッチング要素は、連結位置を介して動きを係止位置から単一体として解放位置まで遠方に案内する。その結果、トリガーシステムに必要とされる部品数は少数に保たれる。スイッチング要素は、単一品として形成されることが好ましいが、原理上、組み立て構造体とすることもできるが、係止位置から解放位置までの遠方への動きは、少なくともこの動きに関する限り、単一の剛直体であるかのように単一品として行われる。
【０００９】
スイッチング要素の係止位置から解放位置への動きは、一方向への動きのみ、好ましくは、基端方向に向けた軸方向動きであることが好ましい。
トリガー要素は、ハウジング部分から突き出し、該トリガー要素を直接、作動させることができることが好ましい。該トリガー要素は、トリガーボタン、すなわちプッシュボタンであることが好ましい。トリガー要素が作動されるときに行われる動きは、注射装置の基端方向−末端方向軸線に対して横断方向への動きであることが好ましい。
【００１０】
トリガー要素とスイッチング要素との間の連結係合は、摺動圧力接触に基づいて得られることが好ましい。スイッチング要素とトリガー要素との少なくとも一方は、スイッチングカムとして機能し、他方の係合要素は、スイッチングカムにて摺動する係合要素として機能する。スイッチング要素が連結位置にあるとき、トリガー要素のトリガー動作のため、摺動圧力接触が確立される。摺動圧力接触しているとき、トリガー要素は、スイッチング要素を連結位置から解放位置に押す。
【００１１】
解放位置となる前に、スイッチング要素が注射過程の間にとる位置において、該スイッチング要素は、妨害機構を係止して、駆動機構とハウジング部分との間の止め係合状態を固定し、止め係合状態が解放されるのを防止する。妨害機構は、止め係合状態が解放される方向に向けて弾性的に偏倚されるが、スイッチング要素による係合状態を解放するのを阻止する。スイッチング要素は、妨害機構の妨害要素を押して止め係合状態にすることが好ましい。スイッチング部材は、妨害要素が解放位置にて止め係合状態からスナップ式に脱し、これにより止め係合状態を自動的に解放するのを許容する設計とされる。
【００１２】
自動式注射器の形態とした本発明による１つの型式の実施の形態において、トリガー要素又はトリガー部材は、自動式注射器の長手方向に対し横断するように配設された面内にて動くことができ、また、解放要素は自動式注射器の長手方向に動くことができる。解放要素は、例えば、ハウジングの部品又は部分を互いに動かすことにより、係止位置から中間位置まで動かすことができる。中間位置にあるとき、解放要素の形態をしたスイッチング要素は、駆動要素及び前方駆動構造体を係止位置に固定する注射妨害要素のような係止装置と協働することができる。解放要素が中間位置にあるとき、該解放要素は、駆動要素が解放要素により解放される解放位置まで更に動くことができる。この目的のため、解放部は、案内機構を有することができ、該案内機構は、該案内機構が解放位置に動くよう解放要素と協働する。案内機構は、例えば、解放要素にて、但し好ましくは、トリガー要素にて、自動式注射器の長手方向軸線に対しある角度を成して配設された面の形態にて設けることができる。トリガー要素が作動されると、解放要素の端縁は動いて、該端縁はトリガー要素の斜面上に位置し且つ、トリガー要素が作動されたとき、該斜面に沿って解放位置まで押される。
【００１３】
解放要素が係止位置にある限り、解放要素を作動させても自動式注射器は起動されない。解放要素は、ばねによって自動式注射器から突き出す位置に偏倚されることが好ましい。この型式の実施の形態の場合にも、自動式注射器は、互いに無関係とされた２つの独立的な作動ステップにて起動される。このため、自動式注射器が偶発的に起動されることはありえない。
【００１４】
係止及び係止解除機構並びにトリガー要素は、長手方向に向けて互いに動くことはない。これらは、自動式注射器の長手方向軸線に対し横断状に配設された面内を動き、その結果、これらの構成要素が自動式注射器の長手方向に向けて動くための追加的なスペースを設ける必要はない。このことは、自動式注射器の全体をより短い設計とすることが可能であることを意味する。
【００１５】
本発明の別の実施の形態において、トリガー要素は、自動式注射器の長手方向に動かすことができる。このことは、自動式注射器の一端にてトリガー機構を操作することを容易にする。この実施の形態において、解放機構は、その係止位置にあるとき、トリガー要素が該解放機構に沿って動くのを防止する。このことは、自動式注射器を最初に配置し、その次に作動要素を押すことを保証する。１つの型式の実施の形態において、解放要素は、自動式注射器の長手方向に対し横断状に配設された面内を動くことができる。その結果、１つの変更例において、解放要素は、係止位置から解放位置まで平行移動するよう案内することができる。この場合、解放要素は、鍵穴の形状をしたオリフィスを有することが好ましく、また、環状溝が駆動要素に設けられ、解放要素が係止位置にあるとき、この鍵穴オリフィスの細長い部分が該環状溝内に係合する。別の変更例において、解放要素は、係止位置から解放位置まで回転動作を行うような設計とされている。この場合、解放要素は、非円形のオリフィスを有し、解放要素が解放位置にあるときを除いてオリフィスに嵌まらない非円形断面のヘッド部が駆動要素に設けられる。双方の変更例は、幾つかの個別の部品があればよく、また、作動の点にて高信頼性の経済的な自動式注射器を提供することを可能にする。
【００１６】
これらの好ましい特徴及び組み合わせは、従属請求項にも記載されており、これらの請求項に記載された特徴及び上述した特徴は、互いに相補的であることが望ましい。
実施の形態の例について添付図面を参照して以下に説明する。実施の形態の例の説明にて開示された特徴は、請求項の主題事項を個別にまた、任意の組み合わせにて表わすものであり、また、上述した設計と望ましいように相補的である。
【発明を実施するための最良の形態】
【００１７】
図１には、自動式注射器の１つの実施の形態による第一の例が示されている。自動式注射器は、注射ペンの形態の設計とされている。該自動式注射器は、把持部分として作用するスリーブ形状の基端側ハウジング部分１と、その末端に針防護部２ａを形成するスリーブ形状の末端側ハウジング部分２とを備えている。ハウジング部分２は、共通の長手方向軸線Ｌに沿ってハウジング部分１内を軸方向に直線状に案内される。
【００１８】
ハウジング部分２は、例えば、インシュリンのような注射可能な製剤にて充填されるリザーバ３を受容する。リザーバ３は容器であり、この実施の形態の例において、プランジャの形態をした駆動要素４がその内部に受容される標準的なアンプルである。駆動要素４を前方駆動方向Ｖに向けて軸方向に動かすことにより、リザーバ３の出口を通し及びリザーバ３と接続された注射針５を通して製剤は分与される。注射針５は、リザーバ３の末端に取り付けられ、その自由な針先端は、前方駆動方向Ｖに向け前方に突き出している。自動式注射器が図１に示した当初の状態にあるとき、針防護部２ａは、その針先端を超えて遠方まで注射針５を取り囲む。この位置は、針防護部２ａの軸方向保護位置に相応する。リザーバ３は、リザーバホルダ６内の中央に保持され且つ、リザーバホルダ６により前方駆動方向Ｖに向けて支持されている。ハウジング部分２、従ってその針防護部２ａは、戻りばね７によって前方駆動方向Ｖに向けて弾性的に偏倚されている。針防護部は、ばね７の力に抗し前方駆動方向Ｖと反対方向に向けてハウジング部分２に対して動くことができる。一例として示した実施の形態において、ばね７は、前方駆動方向Ｖに向けてハウジング部分２に直接支持され且つ、前方駆動方向Ｖと反対方向に向けてリザーバホルダ６に直接支持されている。
【００１９】
駆動機構は、ハウジング部分１内に受容され且つ、軸方向に変位可能であるよう取り付けられる。駆動機構は、製剤を分与する分与駆動装置と、注射針５を最初に注射する注射駆動装置とを備えている。分与ばね１０は、分与駆動装置を形成する。分与ばね１０は、分与構造体１１を介して作用し、該分与構造体１１は、実施の形態のこの例において、製剤を駆動要素４まで駆動する分与スリーブの形態にて設けられた。駆動要素４は平行移動するプランジャの形態の設計とされるため、分与構造体１１はプランジャロッドである。分与ばね１０は、分与構造体１１を前方駆動方向Ｖに向けて偏倚する。しかし、自動式注射器が当初の状態にあるとき、分与構造体１１は止め係合状態にあり、該止め係合状態は、分与構造体１１が前方に動くのを阻止する。
【００２０】
注射駆動装置は、ばねすなわち注射ばね１３の形態にても提供される。自動式注射器が当初の状態にあるとき、注射ばね１３は、前方駆動方向Ｖに向けても偏倚される。該注射ばねは、その弾性力のため、前方駆動構造体１２に圧力を加え、該前方駆動構造体は、注射ばね１３の力に抗して止め係合状態に保持され且つ、ハウジング部分１に対する前方駆動動作を行うことが阻止される。前方駆動構造体１２は、分与構造体１１を取り囲み、取り付け部と、分与構造体が軸方向に動くための直線状案内部とを提供する。分与ばね１０及び注射ばね１３の双方は、前方駆動方向Ｖと反対方向に向けハウジング部分１の上に支持され、注射ばねは、軸受ブロック８上に直接支持され、該軸受ブロックは、軸方向に及び半径方向に動くことができず、また、回転もせず、この意味にて、ハウジング部分１と固定状態に接続されている。軸受構造体８は、前方駆動構造体１２に対する軸方向の直線状案内部をも形成する。
【００２１】
前方駆動構造体１２の止め係合部は、弾性的スナッパ及び突起の形態をした注射妨害要素１５を備えており、該弾性的スナッパ及び突起により、止め係合部は、スリーブ形状の前方駆動構造体１２の外面に設けられた凹所１４内に突き出す。注射妨害要素１５は、ハウジング部分１に対し軸方向に動くことはできない。注射妨害要素１５の幾つかは、その各々が軸方向に弾性的な舌状体の形態をしたスリーブ本体の周縁の回りに配設されている。
【００２２】
分与構造体１１に対する止め係合部を提供するため、前方駆動構造体１２は、その基端に幾つかの弾性的な舌状体も有している。これらの弾性的な舌状体は、各々が分与構造体１１に対する前方駆動ストッパを形成することにより、分与妨害要素１６として機能する。注射妨害要素１５を形成する同一のスリーブ本体は、分与妨害要素１６を半径方向内方に押して分与構造体１１と止め係合状態にする。
【００２３】
注射妨害要素１５は、スイッチング要素２０によって半径方向内方に押され止め係合部に入る、すなわち周縁溝の形態にて前方駆動構造体１２に設けられた複数又は１つの凹所１４内に入る。この目的のため、スイッチング要素２０は、前方駆動構造体１２及び注射妨害要素１５を取り囲むスリーブ部分を有し且つ、これら要素を複数の凹所１５又は周方向に伸びる凹所１５内に押し込む。軸受構造体８は、スイッチング要素が軸方向に変位可能であるようスイッチング要素２０に対する取り付け部を提供する。軸受構造体８及び（又は）注射妨害要素１５を形成するスリーブ本体は、スイッチング要素２０を軸方向に直線状に案内する。スイッチング要素２０は、ハウジング部分２と軸方向に圧力接触しており、ハウジング部分２が前方駆動方向Ｖと反対方向に向けて動くようにし、また、スイッチング要素２０が同一の動きをするようにする。最後に、スイッチング要素２０は、戻りばね２３により前方駆動方向Ｖと反対方向に向けてハウジング部分１に支持されている。当初の状態にあるとき、スイッチング要素２０は、該スイッチング要素が注射妨害要素１５を前方駆動構造体１２と止め係合状態に係止する軸方向係止位置にある。
【００２４】
ハウジング部分１の基端側部分において、トリガー要素１８は、その外面から半径方向外方に突き出している。トリガー要素１８は、好ましくは、半径方向への圧力を加えることで作動させてハウジング部分１内に深く押し込むことができ、また、かかる作動のため、前方駆動方向Ｖを向いた自動式注射器の中間長手方向軸線Ｌに対して横断状に配設された方向に、この実施の形態にて、半径方向に向けて動く。
【００２５】
図２には、自動式注射器が当初の状態にあるとき、これらの要素がとる相対的な位置にて針防護部２ａ、スイッチング要素２０及びトリガー要素１８が図１に示した自動式注射器から解放された状態にある、ハウジング部分２が示されている。ハウジング部分２とスイッチング要素２０との間には軸方向圧力接触状態のみが存在する。トリガー要素１８及びスイッチング要素２０は係合していない。しかし、図示するように、前方駆動方向Ｖ及びトリガー要素１８の横断状動作方向に対して傾斜したスイッチングカム１９が提供される。前方駆動方向Ｖ及び横断状動作方向、すなわちトリガー要素１８の起動動作方向は、互いに垂直な向きとされている。スイッチングカム１９は、前方駆動方向Ｖと反対方向を向く。スイッチング要素２０には、カム２１が設けられており、該カムは、スイッチング要素２０がトリガー要素１８と連結係合するとき、係合要素を形成し且つ、トリガー要素１８がその起動動作を実行するとき、スイッチングカム１９上を摺動する。スイッチング要素２０は、また、スイッチングカム２２が設けられており、該スイッチングカム２２は、一例として示した実施の形態において、カム２１の後面に設けられている。スイッチングカム２２は、自動式注射器を起動する点にて何らの機能も果たさない。スイッチングカムは、単に自動式注射器が当初の状態にあるとき、偶発的に押された場合、トリガー要素１８の位置を補正するのみである。２つのスイッチングカム１９、２２は直線状に伸びている、すなわち単に傾斜している。しかし、原理上、非直線状の輪郭とすることも可能であると考えられる。
【００２６】
図３には、トリガー要素１８及びスイッチング要素２０並びにそれらのスイッチングカム１９、２２が図１に示した断面Ａ−Ａに沿って特に示されている。
自動式注射器が皮膚の所望の注射箇所に配置されたならば、最初の注射ステップは、針防護部２ａの末端及びハウジング部分１の末端が同一の軸方向高さとなる迄、圧力を注射箇所に加えて、針防護部２ａ、従ってハウジング部分２の全体がハウジング部分１に対して基端方向に、すなわちハウジング部分１内により深く動くようにすることである。
【００２７】
図４には、この第一の注射段階の終了時における自動式注射器が示されている。針防護部２ａが図４に示した後退位置まで後方に動き、該後退位置にて針先端が皮膚の真上に位置するため、針防護部２ａ及びハウジング部分２は、ハウジング部分１、特にトリガー要素１８に対してそれ自体が後方へ動く距離だけスイッチング要素２０を後方に動かしている。
【００２８】
図５には、ハウジング部分２、スイッチング要素２０及びトリガー要素１８がとる相対的な位置の特に明確な図が示されている。トリガー要素１８に対するスイッチング要素２０の軸方向位置は、スイッチングカム１９がトリガー要素１８の起動動作を実行するような位置である、すなわち、トリガー要素１８が押されたとき、カム２１と圧力摺動接触し且つ、圧力摺動接触状態にてカム２１に沿って摺動する。このため、スイッチング要素２０がとる軸方向位置は、連結位置と称される。
【００２９】
スイッチング要素２０が連結位置にあり、トリガー要素１８を押すことにより注射が起動されたとき、トリガー要素は、ハウジング部分１に対し、特に、そのカム２１に向けてスイッチング要素２０に対して動き、また、カム２１と上記の摺動接触状態となるように動き、また、スイッチングカム１９の傾斜外形のため、カム２１を押し、また、これと共に、スイッチング要素２０を前方駆動方向Ｖと反対方向に押す、すなわち該トリガー要素は、スイッチング要素２０を基端方向に引っ張る。カム２１は、スイッチング要素２０がこの軸方向に動くための係合部材を形成する。該係合部材は、トリガー要素１８が押されたとき、スイッチングカム１９に沿って摺動する。トリガー要素１８は案内され且つ、半径方向起動動作のみを実行するが、ハウジング部分１に対し軸方向に動くことはできないため、スイッチング要素２０は、そのカム２１により前方駆動方向Ｖと反対方向に向けて更に押し戻して軸方向端部位置となるようにする。
【００３０】
図７には、起動後、すなわちトリガー要素１８がその起動動作を実行し、スイッチング要素２０がトリガー要素１８に対し、特に注射妨害要素１５に対するその基端部位置となった後の自動式注射器が示されている。スイッチング要素が注射妨害要素１５を前方駆動構造体１２と止め係合状態となるように押したそのスリーブ部分にて、スイッチング要素２０は凹所２４を有している。一例として示した実施の形態において、この凹所は、スイッチング要素２０のスリーブ部分の内面の回りを伸びて、末端にてスイッチング要素が終わる、より幅の広い領域の形態にて提供される。スイッチング要素２０が基端部位置にあるとき、注射妨害要素１５は、その自然の弾性的反発力のため、半径方向外方にスナップ動作して前方駆動構造体１２との止め係合状態を脱して凹所２４に入る。このため、前方駆動構造体１２の止め係合状態が解放され、前方駆動構造体２０は、緊張させた注射ばね１３によって前方駆動方向Ｖに向けて前方に駆動される。止め係合部が前方に駆動されると、該止め係合部は、リザーバホルダ６に対し押され、該リザーバホルダは、その内部に受容されたリザーバ３と共に前方駆動方向Ｖに向けて動く。前方駆動動作する間、注射針５は、ハウジング部分１、２から出て前方に動いて皮膚に入り、好ましくは皮膚に貫入する。前方駆動構造体１２の前方駆動動作はストッパにより制限される。
【００３１】
前方駆動構造体１２の前方駆動動作、従って注射針５の前方駆動動作が終了すると直ちに、分与妨害要素１６は、スリーブ本体の凹所１７内に入り、該スリーブ本体は、また注射妨害要素１５を形成し且つ、凹所１７内にスナップ嵌めする。分与妨害要素１６の前方スナップ動作のため、分与構造体１１の止め係合部は解放され、該止め係合部は、前方駆動構造体１２に対し前方駆動方向Ｖに向けて摺動する。このため、分与構造体１１は、駆動要素４と接触し、該駆動要素をリザーバ３内にて前方にその出口に向けて押す。その結果、製剤はリザーバ３から、また注射針５を通じて分与され且つ投与される。
【００３２】
図８には、ハウジング部分２、スイッチング要素２０及びトリガー要素１８が起動後に互いにとる位置である軸方向位置にあるときのこれら要素の別の詳細図が示されている。図９には、同一の状態であるが、図７に示した線Ｃ−Ｃに沿った断面図が示されている。
【００３３】
図１０には、自動式注射器の実施の形態による第二の例が示されている。第二の実施の形態による自動式注射器は、第二の例として示した実施の形態にて参照番号２５で示したその注射妨害要素の点にてのみ第一の例として説明した実施の形態と相違する。妨害要素２５は、玉軸受又は円筒状ピンであり、これらは、半径方向外方に偏倚され且つ、スイッチング要素２０により係止されてこれらの要素が止め係合状態から外れるように動くのを防止する。この程度にて、第二の実施の形態によるスイッチング要素２０は、特に、第一の例として説明した実施の形態のものに相応する。また、針防護部２ａとトリガー要素１８との協働に関して何らの相違点もない。唯一の相違点は、別の特徴に関するものであり、針防護部２ａ又はハウジング部分２により形成されたトリガー機構、スイッチング要素２０、トリガー要素１８に何ら関係しない。この点に関して、第一の実施の形態に関して記載した説明が当てはまる。
【００３４】
図１ないし図１０に関して説明した実施の形態は、以下のように説明することもできる。自動式注射器の場合、トリガー要素１８は、自動式注射器の長手方向に横断する方向に配設された面内にて変位可能であり、また、解放要素２０は、自動式注射器の長手方向に変位可能である。解放要素２０は、前面の末端側ハウジング部分１及び後側基端側ハウジング部分２に対し軸方向に変位可能であり、且つこれらのハウジング部分内に配設されたスリーブの形態をしている。トリガー要素１８は、自動式注射器の側部から突き出すボタンにより形成されている。図１及び図２において、解放要素２０は、係止位置又は保護位置にあり、すなわちトリガー要素１８からある距離の位置にあり且つ、円錐形ばね２３によりこの係止位置にて前方に偏倚されている。この場合、解放要素２０は、対向位置にある２つの係止アーム１５の形態をした係止機構と協働し、該係止アームは、偏倚され且つ、駆動要素１２の凹所１４内に係合し、これにより駆動要素が前方に押されないように該駆動要素を係止する。勿論、１つの係止アームのみ、又は２つ以上の係止アームを提供することも可能であろう。係止アーム１５は、解放要素２０のスリーブの内面によって前方に駆動要素１２の凹所１４内に偏倚される。係止機構は、例えば、係止する関係にて駆動要素と協働する玉軸受又は前方偏倚の環状要素の形態にて提供することもできる。
【００３５】
図４及び図５において、解放要素２０は、中間位置又は連結位置にて示されている。前側ハウジング部分２は、例えば、患者の皮膚の注射箇所に配置されたとき、自動式注射器内にて後側ハウジング部分１に対して押される。解放要素２０は、前側ハウジング部分２と隣接して、該ハウジング部分と共に、後側ハウジング部分３に対し押されて中間位置となる。係止アーム１５は、解放要素２０のスリーブの内面に沿って摺動し且つ、解放要素２０のスリーブによって駆動要素１２の凹所内に更に押し込まれ、このため、係止アームは、上記駆動要素１２が前方に動くのを防止する。自動式注射器が注射箇所から除去されると、解放要素２０は、円錐形ばね２３により後方に押されて係止位置となる。
【００３６】
解放要素２０は、トリガー要素１８の移動範囲内の中間位置に到達し、また、このとき、トリガー要素１８のガイド機構とのみ協働することができ且つ、該ガイド機構により解放位置に動かすことができる。一例として示した実施の形態において、ガイド機構は、自動式注射器の長手方向軸線に対しある角度にて伸びるトリガー要素１８における面２２の形態にて提供され、スイッチングカムを形成する。これと代替的に、同様の面又はガイド機構を解放要素２０に設けることも可能である。トリガー要素１８の方向への伸長体が解放要素２０のスリーブに設けられており、該伸長体は、耳状突起又はカム２１を有しており、これらの耳状突起又はカムは、トリガー要素１８の斜面２２が中間位置にあるとき、図５から最も良く見ることができるように、自動式注射器の長手方向軸線に向けて半径方向に動く。
【００３７】
図７及び図８には、解放位置にある解放要素２０が示されている。解放要素２０が中間位置にあるとき、トリガー要素１８は、解放要素２０と相互作用することができる。トリガー要素１８が作動されると、斜面２２は、解放要素２０の耳状突起２１に向けて動く。耳状突起２１は、該耳状突起が斜面２２上に位置するように動き、また、トリガー要素１８が更に押されると、斜面に沿って摺動し、このため、解放要素２０は、解放要素２０が解放位置となる迄、角度付きの幾何学的形態のため、トリガー要素１８の方向に向けて引っ張られ又は押される。解放位置にあるとき、解放要素２０のスリーブの幅の広い断面を有する領域は、動き、このため、解放要素は係止アーム１５と対向する位置となり、それらの前方偏倚及び駆動要素１２の解放によって駆動要素１２の凹所１４から半径方向外方に動く。このとき、駆動要素は活性物質の容器３及び注射針５に作用し且つ、これらをハウジング部分１、２の前端を超えて押し出し、その結果、注射箇所にて注射が行われる。
【００３８】
この実施の形態において、前側スリーブ２が後側スリーブ１内に押し戻され、また、同時にトリガーボタン１８を押したときにのみ、起動させることができる。
図１１及び図１２ａないし図１２ｃには、本発明により提案される自動式注射器の別の実施の形態が示されている。
【００３９】
図１１の長手方向断面図に示した自動式注射器は、１回限り使用の設計とされており、ばね１０９の力に抗して図１１に示した位置から互いに動くことのできる後側ハウジング部分１と、前側ハウジング部分２とを備えるハウジングを有している。活性物質にて充填された容器３は、自動式注射器の内部にてハウジングスリーブ１１０内に受容されている。その前端にて、容器３は、注射針５を支持し、駆動ばね１０７の力によってハウジングスリーブ１１０と共に、ハウジング内にて軸方向に変位して注射針５を患者の皮膚に突き刺すことができる。注射針５は、本発明にとって必須ではなく、上述したトリガー機構は、原理上、無針の自動式注射器と共に使用することも可能である。ロッド形状の駆動要素１２を備える前方駆動構造体が注射針５に面するその前端により容器３内にて係合し、該駆動要素は、容器３内に保持された活性物質を分与することを目的として、プランジャ４と接続される。駆動要素１２の両端の間に該駆動要素は、伝導部分１１４と接続され、該伝導部分によって駆動ばね１０７の力は、駆動要素１２に伝導される。注射針５から遠方のその後端に、駆動要素１２は、以下に説明する目的のため、環状溝１１５を有している。
【００４０】
自動式注射器は、図１１に、緊張された直ちに使用可能な状態にて示されている。圧縮した駆動ばね１０７の力によって容器３に向けた方向に偏倚されて、駆動要素１２は、その後端にて、環状溝１１５内に係合する解放要素２０により係止されている。解放要素２０は、止め板１３０にて静止し且つ、好ましくは、図示しないが、ばねの力に抗して自動式注射器の長手方向軸線に対し横断状に動くことができる。従って、駆動要素１２は、その後端により、この止め板１３０のオリフィス１２９を貫通して突き出している。カバーの形態をしたトリガー要素１８が設けられ、該カバーは、自動式注射器の後端に嵌まり且つ、好ましくは、図示しないが、ばねの力に抗してその軸方向に作動させることができる。図１１に明確に示すように、トリガー要素１８は、自動式注射器が図示した作動位置にあるとき、自動式注射器は解放要素２０の平坦面１３８に対して静止しているから、作動させることはできない。
【００４１】
自動式注射器を使用するためには、注射針５を滅菌状態に保つ針防護キャップ１３２を最初に除去しなければならない。次に、後側ハウジング部分１により自動式注射器を把持し、前側ハウジング部分２が患者の皮膚に対して静止するように配置し且つ軽く押し、そのとき、前側ハウジング部分２は、ばね１０９の力に抗して後側ハウジング部分１に対して押す。この状態となると、前側ハウジング部分２に形成された舌状体１１９は、動いて解放要素２０の斜面１２２と当接状態となり、また、解放要素を自動式注射器の長手方向に対して横断する方向に中間位置まで動かす。解放要素２０が作用する距離は、駆動要素１２を解放するのに十分ではない。しかし、解放要素２０の端縁１３９は、トリガー要素１８に設けられた斜面１４０の領域内に動き、このため、このとき、トリガー要素１８は自動式注射器の軸方向に作動させることができる。斜面１４０が端縁１３９と接触するため、解放要素は、該解放要素が駆動要素１２を解放するその解放位置に到達して、注射を起動する迄、更に動く。
【００４２】
図１２ａないし図１２ｃには、解放要素２０が作用する様子を示す、図１１に示した線ＩＩ−ＩＩに沿った断面図が示されている。図１２ａには、図１１に示した位置と同一の位置、すなわち係止位置にある解放要素２０が示されている。鍵穴の形状をしたオリフィス１２１が解放要素２０に設けられている。図１２ａに示した係止位置にあるとき、オリフィス１２１の狭小部分は、駆動要素１２の環状溝１１５内に係合し且つ、その結果、該駆動要素を係止状態に保持する。図１２ｂには、中間位置が示されていおり、該中間位置において、舌状体１１９は解放要素２０をその中間位置内に押し込んでいる。このとき、環状溝１１５に軸方向に隣接する駆動要素のヘッド部１４１は、解放要素のオリフィス１２１の狭小部分と幅の広い部分との間の遷移箇所に配設される。その結果、駆動要素１２は、ばね１０７により偏倚されたその位置にて依然、係止状態に保持されている。図１２ｃは、解放要素２０の解放位置を示す。オリフィス１２１の幅の広い部分は、環状溝１１５の領域内に押し込まれており、このため、このとき、ヘッド部１４１は、オリフィス１２１の幅の広い部分に入ることができ、注射が起動される。
【００４３】
上述し且つ、図面に示した本発明の実施の形態の型式は、解放要素２０の平行移動動作を利用するものである。図示しない、別型式の実施の形態において、解放要素２０は、回転動作させることができる。この型式の実施の形態において、舌状体１１９は、解放要素２０に向けたその端部が斜角付きとされており、このため、舌状体１１９は、ハウジング部分１、２が互いに動くとき、自動式注射器の長手方向軸線の回りにて解放要素２０を回転させる。この場合、トリガー要素１８の斜面１４０は、図１１に示すように半径方向への向きではなくて、周方向への向きとされている。この実施の形態においても、解放要素は、３つの位置を有しており且つ、舌状体１１９により係止位置から中間位置まで、また、トリガー要素１８により中間位置から解放位置まで動く。この実施の形態において、解放要素のオリフィス及び駆動要素１２のヘッド部１４１は非円形の形状をしている。係止位置及び中間位置にあるとき、ヘッド部は、オリフィスに嵌まらない一方、解放位置にあるとき、該ヘッド部はオリフィスに嵌まる。
【００４４】
従って、本発明の目的は、ハウジング部分が互いに押されたとき、解放要素は、その係止位置から該解放要素が駆動要素を係止状態に保持する中間位置まで動くことができ、また、トリガー要素は解放要素を中間位置から解放位置に動かすことができることにより、実現される。
【００４５】
ハウジングの部分の動き又はトリガー要素の作動の何れも単独では、注射を起動させることができないことを考えると、システムは、意図しない起動を防止する点にて特に安全である。更に、この解決策は、自動式注射器を患者の皮膚に配置しなければ、トリガー要素を作動させることができないことを保証することになる。
【図面の簡単な説明】
【００４６】
【図１】注射前の当初の状態にある自動式注射器の１つの実施の形態による第一の例を示す図である。
【図２】当初の状態にある自動式注射器の針防護部、スイッチング要素及びトリガー要素を示す図である。
【図３】図１の断面Ａ−Ａに沿って示した図である。
【図４】起動する前、注射箇所に配置された第一の実施の形態による自動式注射器の図である。
【図５】図４に示した状態にある自動式注射器の針防護部、スイッチング要素及びトリガー要素を示す図である。
【図６】図４の断面Ｂ−Ｂに沿って示した図である。
【図７】起動した状態にある、注射箇所に配置された第一の実施の形態である自動式注射器の図である。
【図８】起動した状態にある、針防護部、スイッチング要素及びトリガー要素を示す図である。
【図９】図７の断面Ｃ−Ｃに沿って示した図である。
【図１０】当初の状態にある自動式注射器の実施の形態による第二の例を示す図である。
【図１１】供給された状態にある、本発明により提案される自動式注射器の異なる設計の長手方向断面図である。
【図１２】１２ａないし１２ｃは、図１１に示した設計の解放要素の３つの位置を示す断面図である。
【符号の説明】
【００４７】
１    基端側ハウジング部分
２    末端側ハウジング部分
２ａ    針防護部
３    リザーバ
４    駆動要素、プランジャ
５    注射針
６    リザーバホルダ
７    戻りばね
８    軸受構造体
９
１０    分与駆動装置、分与ばね
１１    分与構造体、プランジャロッド
１２    前方駆動構造体
１３    注射駆動装置、注射ばね
１４    切り込み凹所
１５    注射妨害要素、スナッパ
１６    分与妨害要素
１７    切り込み凹所
１８    トリガー要素
１９    スイッチングカム
２０    スイッチング要素
２１    カム
２２    スイッチングカム
２３    ばね
２４    凹所
２５    注射妨害要素
Ｌ    長手方向軸線
Ｖ    前方駆動方向
１０７    駆動ばね
１０８    止め要素
１０９    ばね
１１０    ハウジングスリーブ
１１４    伝導部分
１１５    環状溝
１１６    環状溝
１１７    ばね
１１８    ばね
１１９    リザーバにおける舌状体
１２０    注射針のオリフィス
１２１    リザーバホルダのオリフィス
１２２    リザーバホルダの斜面
１２３    ばね
１２４    内側スリーブ
１２５    切り込み部
１２６    凹所
１２７    注射針のアーム
１２８    止め脚
１２９    オリフィス
１３０    止め板
１３１    耳状突起
１３２    針防護キャップ
１３３    安全カバー
１３４    係止ピン
１３５    本体
１３６    ウェブ
１３７    リザーバのスリーブ形状端部
１３８    リザーバホルダの平坦面
１３９    リザーバホルダの端縁
１４０    注射針の斜面
１４１    駆動要素のヘッド部
１４２    管
１４３    肩
１４４    摺動係止部
【図１】
2007514487.tif 000003
【図２】
2007514487.tif 000004
【図３】
2007514487.tif 000005
【図４】
2007514487.tif 000006
【図５】
2007514487.tif 000007
【図６】
2007514487.tif 000008
【図７】
2007514487.tif 000009
【図８】
2007514487.tif 000010
【図９】
2007514487.tif 000011
【図１０】
2007514487.tif 000012
【図１１】
2007514487.tif 000013
【図１２ａ】
2007514487.tif 000014
【図１２ｂ】
2007514487.tif 000015
【図１２ｃ】
2007514487.tif 000016
【国際調査報告】
2007514487.tif 000017
2007514487.tif 000018
2007514487.tif 000019
2007514487.tif 000020
2007514487.tif 000021
2007514487.tif 000022
2007514487.tif 000023
2007514487.tif 000024